(57)【要約】【課題】単に時分を表示するだけでなく、時分の表示に多様性を持たせることが可能であり、使用するフォントに拘わらず見易い時刻表示が可能な電子機器を提供する。【解決手段】時表示テーブルに基づいて、計時部で計時される時分に対応する数を表す時画像データ７０及び分画像データ８０を表示する表示部４を備え、時表示テーブルは、同じ時または分であっても、時分に応じて、少なくとも時画像データ７０及び分画像データ８０のいずれか一方による数の表示位置として、所定の標準位置とは異なる位置を特定する情報を含む。例えば、画像データ７０のフォントの位置を標準位置よりも上方に移動させ、分画像データ８０との重なりを防ぐ。【選択図】図１５
2016148516.tif 000002
【特許請求の範囲】
【請求項１】
時分を含む時刻を計時する計時部と、
時に対応する数を表す複数の時画像データと、分に対応する数を表す複数の分画像データとを記憶する画像記憶部と、
所定の時分を表示する際に用いられる前記時画像データ及び前記分画像データを特定する情報と、前記時画像データ及び前記分画像データの少なくともいずれか一方による数の表示位置を特定する情報とを示す表示テーブルと、
前記表示テーブルに基づいて、前記計時部で計時される時分に対応する数を表す前記時画像データ及び前記分画像データを表示する表示部と、を備え、
前記表示テーブルは、前記時画像データ及び前記分画像データの少なくともいずれか一方による数の表示位置として、第１の時分の場合は、第１の位置を特定する情報を含み、前記第１の時分とは異なる時分であって、前記第１の時分と同じ時または分を有する第２の時分の場合は、前記第１の位置とは異なる第２の位置を特定する情報を含む、
ことを特徴とする電子機器。
【請求項２】
時分を含む時刻を計時する計時部と、
時に対応する数を表す時画像データと、分に対応する数を表す分画像データとを記憶する画像記憶部と、
所定の時分を表示する際に用いられる前記時画像データ及び前記分画像データを特定する情報と、前記時画像データ及び前記分画像データの表示位置を特定する情報の組み合わせを表す表示テーブルと、
前記表示テーブルに基づいて、前記計時部で計時される時分に対応する数を表す前記時画像データ及び前記分画像データを表示する表示部と、を備え、
前記画像記憶部は、一の時に対応する数を表す時画像データとして第１または第２の時画像データを記憶しており、
前記表示テーブルは、前記一の時において、前記時画像データとして、第１の分の場合は、前記第１の時画像データを特定する情報を含み、前記第１の分とは異なる第２の分の場合は、前記第２の時画像データを特定する情報を含む、
ことを特徴とする電子機器。
【請求項３】
前記時画像データ及び前記分画像データは、数を表す言葉の文字を描画した画像データであり、前記文字の並ぶ方向をｘ方向、当該ｘ方向に直交する方向をｙ方向とした時、前記表示部の表示領域における前記表示位置の前記ｙ方向の座標は、前記時画像データと前記分画像データとで異なる、
ことを特徴とする請求項１または請求項２に記載の電子機器。
【請求項４】
時分を含む時刻を計時する計時部と、
時に対応する数を表す複数の時画像データと、分に対応する数を表す複数の分画像データとを記憶する画像記憶部と、
所定の時刻を表示する際に用いられる前記時画像データ及び前記分画像データを特定する情報と、前記時画像データ及び前記分画像データの表示位置を特定する情報を表す表示テーブルと、
前記表示テーブルに基づいて、前記計時部で計時される時分に対応する数を表す前記時画像データ及び前記分画像データを表示する表示部と、を備え、
前記画像記憶部は、前記分画像データとして、前記分に対応する数を表す画像と数以外の画像とが一の画像として描画され、当該数以外の画像が第１の分と第２の分において異なる分画像データを記憶している、
ことを特徴とする電子機器。
【請求項５】
前記画像記憶部は、
前記時画像データとして、時の十の位に対応する数を表す画像と数以外の画像とが一の画像として描画され、当該数以外の画像が前記十の位に対応する数において異なる第１時画像データと、時の一の位に対応する数を表す画像と数以外の画像とが一の画像として描画され、当該数以外の画像が前記一の位に対応する数において異なる第２時画像データとを記憶し、
前記分画像データとして、分の十の位に対応する数を表す画像と数以外の画像とが一の画像として描画され、当該数以外の画像が前記十の位に対応する各数において異なる第１分画像データと、各分の一の位に対応する数を表す画像と数以外の画像とが一の画像として描画され、当該数以外の画像が前記一の位に対応する数において異なる第２分画像データとを記憶しており、
前記表示テーブルは、所定の時刻を表示する際に用いられる前記第１時画像データ及び前記第２時画像データと、前記第１分画像データ及び前記第２分画像データとを特定する情報と、前記第１時画像データ及び前記第２時画像データと前記第１分画像データ及び前記第２分画像データの表示位置を特定する情報の組み合わせを含む、
ことを特徴とする請求項４に記載の電子機器。
【請求項６】
前記画像記憶部は、
前記分画像データとして、各分に対応する０から５９までの数を表す画像と数以外の画像とが一の画像として描画され、当該数以外の画像が異なる分画像データを記憶している、
ことを特徴とする請求項４に記載の電子機器。
【請求項７】
前記画像記憶部は、
前記時画像データとして、各時に対応する１から１２までの数を表す画像が描画された時画像データを記憶している、
ことを特徴とする請求項６に記載の電子機器。
【請求項８】
前記画像記憶部は、
前記時画像データとして、各時に対応する０から２３までの数を表す画像が描画された時画像データを記憶している、
ことを特徴とする請求項６に記載の電子機器。
【請求項９】
前記画像記憶部は、
前記第１時画像データとして、時の十の位に対応する１から２までの数を表す画像と数以外の画像とが一の画像として描画され、当該数以外の画像が前記十の位に対応する数において異なる第１時画像データを記憶し、
前記第２時画像データとして、時の一の位に対応する０から９までの数を表す画像と数以外の画像とが一の画像として描画され、当該数以外の画像が前記一の位に対応する数において異なる第２時画像データとを記憶し、
前記第１分画像データとして、分の十の位に対応する０から５までの数を表す画像と数以外の画像とが一の画像として描画され、当該数以外の画像が前記十の位に対応する数において異なる第１分画像データを記憶し、
前記第２分画像データとして、分の一の位に対応する０から９までの数を表す画像と数以外の画像とが一の画像として描画され、当該数以外の画像が前記一の位に対応する数において異なる第２分画像データを記憶している、
ことを特徴とする請求項５に記載の電子機器。
【請求項１０】
時分を含む時刻を計時する計時部と、
時に対応する数を表す複数の時画像データと、分に対応する数を表す複数の分画像データとを記憶する画像記憶部と、
前記計時部で計時される時分に対応する数を表す前記時画像データ及び前記分画像データを表示する表示部と、を備え、
前記表示部は、第１の時分の場合は、前記時画像データ及び前記分画像データの少なくともいずれか一方を、第１の位置で表示し、前記第１の時分と同じ時または分であって、且つ前記第１の時分と異なる第２の時分の場合は、前記時画像データ及び前記分画像データの少なくともいずれか一方を前記第１の位置とは異なる第２の位置に表示する、
ことを特徴とする電子機器。
【請求項１１】
時分を含む時刻を計時する計時部と、
時に対応する数を表す複数の時画像データと、分に対応する数を表す複数の分画像データとを記憶する画像記憶部と、
前記計時部で計時される時分に対応する数を表す前記時画像データ及び前記分画像データを表示する表示部と、を備え、
前記画像記憶部は、所定の時に対応する数を表す時画像データとして第１または第２の時画像データを記憶しており、
前記表示部は、前記所定の時において、第１の分の場合は、前記第１の時画像データを表示し、前記第１とは異なる第２の分の場合は、前記第２の時画像データを表示する、
ことを特徴とする電子機器。
【請求項１２】
時分を含む時刻を計時する計時部と、
時に対応する数を表す複数の時画像データと、分に対応する数を表す複数の分画像データとを記憶する画像記憶部と、
前記計時部で計時される時分に対応する数を表す前記時画像データ及び前記分画像データを表示する表示部と、を備え、
前記画像記憶部は、前記分画像データとして、前記分に対応する数を表す画像と数以外の画像とが一の画像として描画され、当該数以外の画像が第１の分と第２の分において異なる分画像データを記憶している、
ことを特徴とする電子機器。
【発明の詳細な説明】
【技術分野】
【０００１】
本発明は、時分を計時する計時部と時分を表示する表示部を備えた電子機器に関する。
【背景技術】
【０００２】
現在では、時計の計時精度が飛躍的に向上したため、正確な時刻を表示するだけの時計は魅力が薄れ、ファッション性や遊び心のある時計が求められる傾向が強くなっている。そのような時計を実現するための１つの解決策として、時計が正確な時刻を表示するだけでなくファッション性や遊び心のあるコンテンツも表示可能にすることが考えられる。例えば、幾何学像やアニメーション画像等が表示され、あるいは、審美的に楽しいファッショナブルなカラー変化機能を備えた液晶表示装置が組み込まれた電子時計が提案されている（例えば、特許文献１）。
【先行技術文献】
【特許文献】
【０００３】
【特許文献１】特開２００４−２８９１８号公報
【発明の概要】
【発明が解決しようとする課題】
【０００４】
しかしながら、特許文献１に記載の電子時計では、時桁を示す画像データと分桁を示す画像データとでは同じフォントが使用されており、時刻表示においては多様性のある表示が行われているとは言えない。また、特許文献１に記載の電子時計では、時分を示す画像データは一体として表示位置の変更が可能になっているが、例えば時桁の表示位置と分桁の表示位置を別の位置に変更する処理は行われていない。したがって、特殊なフォントを使用した場合には、時刻表示が見辛くなることが考えられる。
【０００５】
本発明は、上述した事情に鑑みてなされたものであり、単に時分を表示するだけでなく、時分の表示に多様性を持たせることが可能であり、使用するフォントに拘わらず見易い時刻表示が可能な電子機器を提供することを課題としている。
【課題を解決するための手段】
【０００６】
以上の課題を解決するため、本発明に係る電子機器は、時分を含む時刻を計時する計時部と、時に対応する数を表す複数の時画像データと、分に対応する数を表す複数の分画像データとを記憶する画像記憶部と、所定の時分を表示する際に用いられる前記時画像データ及び前記分画像データを特定する情報と、前記時画像データ及び前記分画像データの少なくともいずれか一方による数の表示位置を特定する情報とを示す表示テーブルと、前記表示テーブルに基づいて、前記計時部で計時される時分に対応する数を表す前記時画像データ及び前記分画像データを表示する表示部と、を備え、前記表示テーブルは、前記時画像データ及び前記分画像データの少なくともいずれか一方による数の表示位置として、第１の時分の場合は、第１の位置を特定する情報を含み、前記第１の時分とは異なる時分であって、前記第１の時分と同じ時または分を有する第２の時分の場合は、前記第１の位置とは異なる第２の位置を特定する情報を含む、ことを特徴とする。
【０００７】
本発明によれば、表示テーブルには、所定の時分を表示する際に用いられる時画像データ及び分画像データを特定する情報と、時画像データ及び分画像データの少なくともいずれ一方による数の表示位置を特定する情報の組み合わせが表されている。そして、表示テーブルには、時画像データ及び分画像データの少なくともいずれか一方による数の表示位置として、第１の時分の場合は、第１の位置を特定する情報を含み、第１の時分とは異なる時分であって、第１の時分と同じ時または分を有する第２の時分の場合は、第１の位置とは異なる第２の位置を特定する情報を含んでいる。したがって、計時部で計時される時分に対応する数を表す時画像データ及び分画像データを表示部において表示する際に、同じ時または分であっても、時分に応じて、少なくとも時画像データまたは分画像データが第１の位置とは異なる第２の位置に表示される。その結果、使用するフォントに拘わらず見易い時分表示が行われる。
なお、本発明において「電子機器」とは、腕時計型の電子時計、リスト型のスポーツ機器、ウェアラブル機器等を含む概念である。
【０００８】
以上の課題を解決するため、本発明に係る電子機器は、時分を含む時刻を計時する計時部と、時に対応する数を表す時画像データと、分に対応する数を表す分画像データとを記憶する画像記憶部と、所定の時分を表示する際に用いられる前記時画像データ及び前記分画像データを特定する情報と、前記時画像データ及び前記分画像データの表示位置を特定する情報の組み合わせを表す表示テーブルと、前記表示テーブルに基づいて、前記計時部で計時される時分に対応する数を表す前記時画像データ及び前記分画像データを表示する表示部と、を備え、前記画像記憶部は、一の時に対応する数を表す時画像データとして第１または第２の時画像データを記憶しており、前記表示テーブルは、前記一の時において、前記時画像データとして、第１の分の場合は、前記第１の時画像データを特定する情報を含み、前記第１の分とは異なる第２の分の場合は、前記第２の時画像データを特定する情報を含む、ことを特徴とする。
【０００９】
本発明によれば、表示テーブルには、所定の時分を表示する際に用いられる時画像データ及び分画像データを特定する情報と、時画像データ及び分画像データの表示位置を特定する情報の組み合わせが表されている。そして、表示テーブルには、一の時において、時画像データとして、第１の分の場合は、第１の時画像データを特定する情報を含み、第１の分とは異なる第２の分の場合は、第２の時画像データを特定する情報を含んでいる。したがって、計時部で計時される時分に対応する数を表す時画像データ及び分画像データを表示部において表示する際に、同じ時または分であっても、時分に応じて、第１の時画像データとは異なる第２の時画像データが表示される。その結果、使用するフォントに拘わらず見易い時分表示が行われる。また、多様性のある時分表示が行われる。
なお、本発明において「電子機器」とは、腕時計型の電子時計、リスト型のスポーツ機器、ウェアラブル機器等を含む概念である。
【００１０】
上述した電子機器において、前記時画像データ及び前記分画像データは、数を表す言葉の文字を描画した画像データであり、前記文字の並ぶ方向をｘ方向、当該ｘ方向に直交する方向をｙ方向とした時、前記表示部の表示領域における前記表示位置の前記ｙ方向の座標は、前記時画像データと前記分画像データとで異なることが好ましい。この場合には、ｙ方向の異なる位置に時画像データと分画像データが表示されるが、時分に応じて所定の標準位置とは異なる位置に表示されたり、あるいは、時分に応じて所定の標準の画像データとは異なる画像データが表示されるので、使用するフォントに拘わらず見易い時刻表示が行われ、また、多様性のある時分表示が行われる。
【００１１】
以上の課題を解決するため、本発明に係る電子機器は、時分を含む時刻を計時する計時部と、時に対応する数を表す複数の時画像データと、分に対応する数を表す複数の分画像データとを記憶する画像記憶部と、所定の時刻を表示する際に用いられる前記時画像データ及び前記分画像データを特定する情報と、前記時画像データ及び前記分画像データの表示位置を特定する情報を表す表示テーブルと、前記表示テーブルに基づいて、前記計時部で計時される時分に対応する数を表す前記時画像データ及び前記分画像データを表示する表示部と、を備え、前記画像記憶部は、前記分画像データとして、前記分に対応する数を表す画像と数以外の画像とが一の画像として描画され、当該数以外の画像が第１の分と第２の分において異なる分画像データを記憶している、ことを特徴とする。
【００１２】
本発明によれば、表示テーブルには、所定の時分を表示する際に用いられる時画像データ及び分画像データを特定する情報と、時画像データ及び分画像データの表示位置を特定する情報の組み合わせが表されている。そして、分画像データとして、分に対応する数を表す画像と数以外の画像とが一の画像として描画され、当該数以外の画像が分において異なる分画像データが含まれる。したがって、計時部で計時される時分に対応する数を表す時画像データ及び分画像データを表示部において表示する際に、第１の分と第２の分において、数以外の画像として異なる画像が表示され、多様性のある時分表示が行われる。
なお、本発明において「電子機器」とは、腕時計型の電子時計、リスト型のスポーツ機器、ウェアラブル機器等を含む概念である。
【００１３】
上述した電子機器において、前記画像記憶部は、前記時画像データとして、時の十の位に対応する数を表す画像と数以外の画像とが一の画像として描画され、当該数以外の画像が前記十の位に対応する数において異なる第１時画像データと、時の一の位に対応する数を表す画像と数以外の画像とが一の画像として描画され、当該数以外の画像が前記一の位に対応する数において異なる第２時画像データとを記憶し、前記分画像データとして、分の十の位に対応する数を表す画像と数以外の画像とが一の画像として描画され、当該数以外の画像が前記十の位に対応する数において異なる第１分画像データと、分の一の位に対応する数を表す画像と数以外の画像とが一の画像として描画され、当該数以外の画像が前記一の位に対応する数において異なる第２分画像データとを記憶しており、前記表示テーブルは、所定の時刻を表示する際に用いられる前記第１時画像データ及び前記第２時画像データと、前記第１分画像データ及び前記第２分画像データとを特定する情報と、前記第１時画像データ及び前記第２時画像データと前記第１分画像データ及び前記第２分画像データの表示位置を特定する情報の組み合わせを含む、ことが好ましい。
【００１４】
この場合には、時の十の位と一の位、及び分の十の位と一の位において、数以外の画像としてそれぞれ異なる画像が表示されるので、計時部で計時される時分に対応する数を表す時画像データ及び分画像データを表示部において表示する際に、多様性のある時分表示が行われる。
【００１５】
上述した電子機器において、前記画像記憶部は、前記分画像データとして、各分に対応する０から５９までの数を表す画像と数以外の画像とが一の画像として描画され、当該数以外の画像が異なる分画像データを記憶している、ことが好ましい。この場合には、数以外の画像として分ごとに異なる画像が表示されるので、多様性のある時分表示が行われる。
【００１６】
上述した電子機器において、前記画像記憶部は、前記時画像データとして、時に対応する１から１２までの数を表す画像が描画された時画像データを記憶している、ことが好ましい。この場合には、多様性をある時分表示を行いつつ、分かり易い時分表示が行われる。
【００１７】
上述した電子機器において、前記画像記憶部は、前記時画像データとして、各時に対応する０から２３までの数を表す画像が描画された時画像データを記憶している、ことが好ましい。この場合には、多様性をある時分表示を行いつつ、分かり易い時分表示が行われる。
【００１８】
上述した電子機器において、前記画像記憶部は、前記第１時画像データとして、時の十の位に対応する１から２までの数を表す画像と数以外の画像とが一の画像として描画され、当該数以外の画像が前記十の位に対応する数において異なる第１時画像データを記憶し、前記第２時画像データとして、時の一の位に対応する０から９までの数を表す画像と数以外の画像とが一の画像として描画され、当該数以外の画像が前記一の位に対応する数において異なる第２時画像データとを記憶し、前記第１分画像データとして、分の十の位に対応する０から５までの数を表す画像と数以外の画像とが一の画像として描画され、当該数以外の画像が前記十の位に対応する数において異なる第１分画像データを記憶し、前記第２分画像データとして、分の一の位に対応する０から９までの数を表す画像と数以外の画像とが一の画像として描画され、当該数以外の画像が前記一の位に対応する各数において異なる第２分画像データを記憶している、ことが好ましい。
【００１９】
この場合には、時の十の位と一の位、及び分の十の位と一の位において、数以外の画像としてそれぞれ異なる画像が表示されるので、計時部で計時される時分に対応する数を表す時画像データ及び分画像データを表示部において表示する際に、多様性のある時分表示が行われる。しかも、分かり易い時分表示が行われる。
【００２０】
以上の課題を解決するため、本発明に係る電子機器は、時分を含む時刻を計時する計時部と、時に対応する数を表す複数の時画像データと、分に対応する数を表す複数の分画像データとを記憶する画像記憶部と、前記計時部で計時される時分に対応する数を表す前記時画像データ及び前記分画像データを表示する表示部と、を備え、前記表示部は、第１の時分の場合は、前記時画像データ及び前記分画像データの少なくともいずれか一方を、第１の位置で表示し、前記第１の時分と同じ時または分であって、且つ前記第１の時分と異なる第２の時分の場合は、前記時画像データ及び前記分画像データの少なくともいずれか一方を前記第１の位置とは異なる第２の位置に表示する、ことを特徴とする。
【００２１】
本発明によれば、計時部で計時される時分に対応する数を表す時画像データ及び分画像データを表示部において表示する際に、第１の時分の場合は、時画像データ及び分画像データの少なくともいずれか一方を、第１の位置で表示し、第１の時分と同じ時または分であって、且つ第１の時分と異なる第２の時分の場合は、時画像データ及び分画像データの少なくともいずれか一方を第１の位置とは異なる第２の位置に表示する。その結果、使用するフォントに拘わらず見易い時分表示が行われる。また、多様性のある時刻表示が行われる。
なお、本発明において「電子機器」とは、腕時計型の電子時計、リスト型のスポーツ機器、ウェアラブル機器等を含む概念である。
【００２２】
以上の課題を解決するため、本発明に係る電子機器は、時分を含む時刻を計時する計時部と、時に対応する数を表す複数の時画像データと、分に対応する数を表す複数の分画像データとを記憶する画像記憶部と、前記計時部で計時される時分に対応する数を表す前記時画像データ及び前記分画像データを表示する表示部と、を備え、前記画像記憶部は、所定の時に対応する数を表す時画像データとして第１または第２の時画像データを記憶しており、前記表示部は、前記所定の時において、第１の分の場合は、前記第１の時画像データを表示し、前記第１とは異なる第２の分の場合は、前記第２の時画像データを表示する、ことを特徴とする
【００２３】
本発明によれば、計時部で計時される時分に対応する数を表す時画像データ及び分画像データを表示部において表示する際に、所定の時において、第１の分の場合は、第１の時画像データを表示し、第１とは異なる第２の分の場合は、第２の時画像データを表示する。したがって、多様性のある時分表示が行われる。
なお、本発明において「電子機器」とは、腕時計型の電子時計、リスト型のスポーツ機器、ウェアラブル機器等を含む概念である。
【００２４】
以上の課題を解決するため、本発明に係る電子機器は、時分を含む時刻を計時する計時部と、時に対応する数を表す複数の時画像データと、分に対応する数を表す複数の分画像データとを記憶する画像記憶部と、前記計時部で計時される時分に対応する数を表す前記時画像データ及び前記分画像データを表示する表示部と、を備え、前記画像記憶部は、前記分画像データとして、前記分に対応する数を表す画像と数以外の画像とが一の画像として描画され、当該数以外の画像が第１の分と第２の分において異なる分画像データを記憶している、ことを特徴とする。
【００２５】
本発明によれば、計時部で計時される分に対応する数を表す分画像データを表示部において表示する際に、分画像データとして、分に対応する数を表す画像と数以外の画像とが一の画像として表示され、数以外の画像が第１の分と第２の分において異なる分画像データとして表示される。したがって、多様性のある時分表示が行われる。
なお、本発明において「電子機器」とは、腕時計型の電子時計、リスト型のスポーツ機器、ウェアラブル機器等を含む概念である。
【図面の簡単な説明】
【００２６】
【図１】本発明の第１実施形態に係る電子時計の外観図である。
【図２】第１実施形態に係る電気泳動表示装置の機能ブロック図である。
【図３】第１実施形態に係る表示部及び描画ＩＣの構成示す図である。
【図４】第１実施形態に係る画素の回路構成図である。
【図５Ａ】電気泳動素子の構成例を示す図である。
【図５Ｂ】電気泳動素子の動作の説明図である。
【図５Ｃ】電気泳動素子の動作の説明図である。
【図６】表示部の画像を更新する方法について説明するための図である。
【図７】表示部の表示領域における表示位置を説明するための図である。
【図８】時画像データのフォントの一例を示す図である。
【図９】分画像データのフォントの一例を示す図である。
【図１０】分表示テーブルを示す図である。
【図１１】時表示テーブルを示す図である。
【図１２】時表示位置調整テーブルを示す図である。
【図１３】表示処理の手順を示すフローチャートである。
【図１４】時表示位置の調整を行わない場合の表示部における表示例を示す図である。
【図１５】時表示位置の調整を行った場合の表示部における表示例を示す図である。
【図１６】時画像データの一例を示す図である。
【図１７】時画像データの一例を示す図である。
【図１８】本発明の第２実施形態における標準のフォントを用いた時画像データの表示部における表示例を示す図である。
【図１９】標準のフォントとは異なるフォントを用いた時画像データの表示部における表示例を示すである。
【図２０】標準のフォントを用いた時画像データを説明するための図である。
【図２１】標準のフォントとは異なるフォントを用いた時画像データを説明するための図である。
【図２２】本発明の第３実施形態の表示部における表示例を示す図である。
【図２３】第３実施形態における時表示テーブルを示す図である。
【図２４】第３実施形態における分表示テーブルを示す図である。
【図２５】本発明の第４実施形態の表示部における表示例を示す図である。
【図２６】第４実施形態の表示部における表示例を示す図である。
【図２７】本発明の第５実施形態の表示部における表示例を示す図である。
【図２８】第５実施形態の表示部における表示例を示す図である。
【図２９】電子機器（情報端末）の斜視図。
【図３０】電子機器（電子ペーパー）の斜視図。
【発明を実施するための形態】
【００２７】
以下、この発明の好適な実施の形態を、添付図面等を参照しながら詳細に説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２８】
＜第１実施形態＞
＜Ａ：電子時計の概要＞
図１ないし図１７を参照しつつ本発明の第１実施形態について説明する。図１は本実施形態の電子機器の一例としての電子時計１の外観図であり、電子時計１を表示部に垂直かつ表示部を視認可能な方向（正面）からみた平面図である。図１に示すように、本実施形態の電子時計１は、腕時計であり、時計ケース２や時計ケース２に連結された一対のバンド３等を備える。なお、バンド３は、ストラップあるいはベルトであってもよい。
【００２９】
時計ケース２の正面には、電気泳動表示（ＥＰＤ：Electrophoretic Display）パネルで構成された表示部４が設けられ、時計ケース２の側面（正面の方向に対して垂直な方向）には、操作ボタンＡ（５ａ）と操作ボタンＢ（５ｂ）とが設けられている。
【００３０】
操作ボタンＡ（５ａ）又は操作ボタンＢ（５ｂ）の押下操作（入力操作）に応じて、表示部４には各種の画像、例えば、１分毎あるいは１秒毎に更新される時刻情報を含む各種の画像、時間の経過を表現する画像、時刻修正用の画像等が表示される。
【００３１】
時計ケース２の内部には、表示部４と表示部４を駆動する駆動装置（図示せず）とを備えた電気泳動表示装置（表示部以外は図示せず）が設けられている。
【００３２】
＜Ｂ：電気泳動表示装置の構成＞
図２は、本実施形態の電子時計１が備える電気泳動表示装置の機能ブロック図である。図２に示すように、本実施形態の電子時計１が備える電気泳動表示装置７は、表示部４（図１参照）と駆動装置６とを有し、駆動装置６は、演算ＩＣ（Integrated Circuit）１０、リアルタイムクロック（ＲＴＣ：Real Time Clock）ＩＣ２０、描画ＩＣ３０、温度計測ＩＣ４０を備えている。後述するように、本実施形態では、これらのＩＣ及び表示部４の低消費電力化を実現することで、電気泳動表示装置７は、ボタン電池等の小容量の一次電池６０でも数年間動作を継続するように構成されている。ただし、電気泳動表示装置７は、充電可能な電池（二次電池）で動作するように構成されていてもよい。
【００３３】
本実施形態では、演算ＩＣ１０は、書き換え可能なフラッシュＲＯＭ１２が内蔵された汎用性の高いマイクロコンピューターユニット（ＭＣＵ）を用いて実現されており、フラッシュＲＯＭ１２に記憶されているプログラムやデータに従って動作する。従って、フラッシュＲＯＭ１２に記憶されるプログラムやデータを書き換えることで、演算ＩＣ１０の機能を容易に変更可能である。また、演算ＩＣ１０が内蔵されたムーブメント（時計の駆動装置）の状態でプログラムやデータを書き換えることもできるので、プログラム変更にも容易に対応することができる。
【００３４】
演算ＩＣ１０は、操作ボタンＡ（５ａ）及び操作ボタンＢ（５ｂ）の押下操作（入力操作）に応じて、表示部４に表示する画像の種類やモードを判断する処理を行う。演算ＩＣ１０が判断するモードは、例えば、１分毎に更新される時刻表示を含む画像が表示部４に表示される分更新モード、あるいは操作ボタンＡ（５ａ）及び操作ボタンＢ（５ｂ）の押下操作（入力操作）に応じて表示部４に表示される時刻が進められ、又は巻き戻される時刻修正モード等がある。
【００３５】
演算ＩＣ１０は、例えば、時刻表示モードでは、計時部としてのリアルタイムクロックＩＣ２０から日付や時刻等の時刻情報を取得し、表示部４に表示する内容を決定する処理を行い、時刻修正モードでは、操作ボタンＡ（５ａ）及び操作ボタンＢ（５ｂ）の押下操作（入力操作）に応じた時刻修正値をリアルタイムクロックＩＣ２０に送信する処理を行う。
【００３６】
フラッシュＲＯＭ１２には、表示部４に表示されている画像を消去するためのマクロ命令（画像消去のマクロ命令）や表示部４に新規画像を描画するためのマクロ命令（新規画像描画のマクロ命令）を指定するためのテーブルが記憶されている。各マクロ命令は描画ＩＣ３０内のフラッシュＲＯＭ３２に記憶されている。演算ＩＣ１０は、所定のタイミングで、フラッシュＲＯＭ１２のテーブルから所望のマクロ命令のアドレスを読み出し、描画ＩＣ３０にそのマクロ命令の実行を指示する処理を行う。
【００３７】
また、演算ＩＣ１０は、描画ＩＣ３０から表示部４に画像データを転送させる処理や描画ＩＣ３０に表示部４を駆動させる処理を行う。また、演算ＩＣ１０は、表示部４を駆動するための基準信号（例えば４ｋＨｚ）を描画ＩＣ３０に供給する。
【００３８】
また、演算ＩＣ１０は、温度計測ＩＣ４０や描画ＩＣ３０に電力を供給する処理、温度計測ＩＣ４０から温度計測値を読み出す処理、読み出した温度計測値に基づいて表示部４の駆動パルスの印加時間や印加タイミングを決定する処理を行う。
【００３９】
また、演算ＩＣ１０は通常動作モードとスリープモードとを有しており、通常動作モードでは演算ＩＣ１０に内蔵の発振回路（例えば、コンデンサーＣ（Capacitor）と抵抗Ｒ（Resistor）で構成されたＣＲ発振回路）が出力するクロック信号に同期して動作し、スリープモードでは発振回路が停止して通常動作モードよりも低消費電力となる。低消費電力化を実現するために、演算ＩＣ１０は、表示部４の表示を更新するための処理（上記の各処理）を行う時は通常動作モードで動作し、何も処理を行わない時は、現在のモード情報や使用中のデータを演算ＩＣ１０に内蔵のＲＡＭ（Random Access Memory）（図示せず）に退避し、スリープモードで待機する。例えば、時刻表示モードが選択されている場合、演算ＩＣ１０は、通常動作モードの時に、表示部４に表示させる画像の描画情報（マクロ命令）を描画ＩＣ３０に送信し、リアルタイムクロックＩＣ２０が有するタイマー２２に計測を開始させた後、スリープモードに移行する。また、演算ＩＣ１０は、スリープモードの時に、リアルタイムクロックＩＣ２０からタイマー２２の所定時間を計測したこと（計測終了）を示す割り込み信号ＩＮＴ（計測終了信号）を受信して通常動作モードに移行する。
【００４０】
この他、演算ＩＣ１０は、温度計測ＩＣ４０から温度計測値を読み出して正常動作可能な高温限界または低温限界に達したか否かを判断する処理や、一次電池６０の電圧値を監視して低電圧限界に達したか否かを判断する処理等を行ってもよい。
【００４１】
本実施形態では、演算ＩＣ１０は、あらかじめフラッシュＲＯＭ１２に記憶されているプログラムを実行することで各処理を行うが、ネットワークに接続されたサーバーからネットワークを介してプログラムを受信し、当該プログラムを内部メモリーに記憶させて実行するようにしてもよい。また、電子時計１を、メモリーカード等の情報記憶媒体を接続可能に構成し、演算ＩＣ１０が当該情報記憶媒体に記憶されているプログラムを実行することで各処理を行うようにしてもよい。
【００４２】
計時部としてのリアルタイムクロックＩＣ２０は、水晶振動子２４を発振させて例えば３２，７６８Ｈｚの発振信号を生成し、この発振信号を分周したクロック信号で秒、分、時等の時刻や日、月、年等の日付を計時し、秒、分、時、日、月、年等を含む時刻情報を生成する。つまり、リアルタイムクロックＩＣ２０は計時部として機能する。この時刻情報は、リアルタイムクロックＩＣ２０が内蔵するレジスター（図示せず）に格納され、リアルタイムクロックＩＣ２０は、演算ＩＣ１０からの要求に応じて、レジスターに格納されている一部又は全部の時刻情報を演算ＩＣ１０に送信する。
【００４３】
また、リアルタイムクロックＩＣ２０は、演算ＩＣ１０からの要求に応じて、タイマー２２の計測を開始し、タイマー２２の計測が終了すると演算ＩＣ１０に割り込み信号ＩＮＴ（計測終了信号）を送信する。タイマー２２が計測する時間は、一定時間であってもよいし、演算ＩＣ１０により指定された時間であってもよい。
【００４４】
描画ＩＣ３０は、演算ＩＣ１０からの画像消去のマクロ命令の実行指示に応じて、現在の画像を消去するための画像データを描画ＩＣ３０に内蔵するＶＲＡＭ（Video RAM）３４に展開する処理や、演算ＩＣ１０からの新規画像描画のマクロ命令の実行指示に応じて、新規画像を表示するための画像データをＶＲＡＭ上に展開する処理を行う。また、描画ＩＣ３０は、表示部４に電力を供給し、ＶＲＡＭ３４に展開した画像データを表示部４に転送する処理、描画ＩＣ３０に内蔵する昇圧回路３６で外部電源電圧（例えば３Ｖ）を昇圧した高電圧（例えば１５Ｖ）の駆動パルスを生成し、表示部４を駆動する処理を行う。
【００４５】
描画ＩＣ３０が内蔵するフラッシュＲＯＭ３２には、表示部４に表示される画像の画像データ（例えば、図１の表示を行うための“Ｅｉｇｈｔ”，“ｔｈｉｒｔｙ−ｔｈｒｅｅ”等の画像データ）等が記憶されている。つまり、フラッシュＲＯＭ３２は画像記憶部として機能し、各時に対応する時画像データ、各分に対応する分画像データを記憶する。また、フラッシュＲＯＭ３２には、表示部４に表示されている画像を消去するためのマクロ命令（画像消去のマクロ命令）や表示部４に新規画像を描画するためのマクロ命令（新規画像描画のマクロ命令）も記憶されている。画像消去のマクロ命令や新規画像描画のマクロ命令には、描画すべき画像データとその座標（各画像データの原点を配置すべき座標）の情報あるいは描画すべき背景データの情報等が含まれている。描画ＩＣ３０は、演算ＩＣから送信される各マクロ命令の実行指示を受け付けると、指定されたフラッシュＲＯＭ３２内のアドレスに記憶された画像消去のマクロ命令や新規画像描画のマクロ命令に従い、フラッシュＲＯＭ３２に記憶されている画像データを読み出し、選択した各パーツを表示部４の表示領域の表示すべき座標に対応するＶＲＡＭ３４のアドレスに書き込む。
【００４６】
また、描画ＩＣ３０は、演算ＩＣ１０から供給される基準信号（例えば４ｋＨｚ）を用いて、駆動パルスの印加（送信）タイミングやパルス幅を調整する。また、描画ＩＣ３０は、ＣＲ発振回路等の発振回路（図示せず）を内蔵し、この発振回路により比較的高い周波数（例えば４００ｋＨｚ）のクロック信号を生成し、駆動パルスの生成処理を除く上記の各処理を行う。このように、描画ＩＣ３０が、内蔵の発振回路により生成されるクロック信号よりも周波数が十分低い基準信号（例えば４ｋＨｚ）を用いて駆動パルスの印加（送信）タイミングやパルス幅を調整することで、低消費電力化を図ることができる。
【００４７】
なお、時刻表示モードが選択されている場合、リアルタイムクロックＩＣ２０は、毎分００秒ちょうどになると、００秒の合図信号を演算ＩＣ１０に送信し、演算ＩＣ１０は、この合図信号を受信し、描画ＩＣ３０に対して表示部４への駆動パルスの印加（送信）を指示する。描画ＩＣ３０は、この指示を受けて表示部４に駆動パルスを印加（送信）し、表示部４は、駆動パルスを受けて新規画像（１分が経過した時刻を含む画像）を表示する。このように、時刻表示モードにおいて、表示部４の画像更新をリアルタイムクロックＩＣ２０が送信する正確な合図信号に同期させることで、描画ＩＣ３０が生成する非同期のクロック信号に同期させる場合と比較して、より正確なタイミングで時刻表示が変わり始めるようにすることができる。
【００４８】
温度計測ＩＣ４０は、演算ＩＣ１０から電力を供給されて動作し、演算ＩＣ１０からの要求に応じて温度を計測し、温度計測ＩＣ４０に内蔵するＡ／Ｄ変換器（図示せず）で温度計測値をデジタル値に変換して演算ＩＣ１０に送信する処理を行う。
【００４９】
＜Ｃ：表示部及び描画ＩＣの構成＞
図３は、本実施形態の表示部４及び描画ＩＣ３０の構成を示す図である。図３に示すように、本実施形態の表示部４は、アクティブマトリックス方式の電気泳動表示パネル（ＥＰＤパネル）であり、文字、数字、写真、模様、イラスト等の様々な画像を表示可能である。
【００５０】
表示部４には、データ線駆動回路１０１及び走査線駆動回路１０２が設けられている。また、表示部４には、データ線駆動回路１０１から延びる複数のデータ線１１１と、走査線駆動回路１０２から延びる複数の走査線１１２とが形成されており、これらの交差位置に対応して複数の画素１０３が設けられている。
【００５１】
データ線駆動回路１０１は、ｎ本のデータ線１１１（Ｘ１、Ｘ２、・・・、Ｘｎ）により各画素１０３に接続されている。データ線駆動回路１０１は、描画ＩＣ３０が内蔵するコントローラー３１の制御に従って、画素１０３のそれぞれに対応する１ビットの画像データを規定する画像信号を画素１０３に供給する。なお、本実施形態では、データ線駆動回路１０１は、画素データ「０」を規定する場合には、ローレベルの画像信号を画素１０３に供給し、画素データ「１」を規定する場合には、ハイレベルの画像信号を画素１０３に供給するものとする。
【００５２】
走査線駆動回路１０２は、ｍ本の走査線１１２（Ｙ１、Ｙ２、・・・、Ｙｍ）により各画素１０３に接続されている。走査線駆動回路１０２は、コントローラー３１の制御に従って１行目からｍ行目までの走査線１１２を順次選択することで、画素１０３に設けられた駆動用ＴＦＴ１０４（図４参照）のオンタイミングを規定する選択信号を供給する。
【００５３】
表示部４には、描画ＩＣ３０のＶＤＤＸ端子を介してコントローラー３１から延びる高電位電源線２０５が設けられており、この高電位電源線２０５はデータ線駆動回路１０１と接続されている。また、表示部４には、描画ＩＣ３０のＶＤＤＹ端子を介してコントローラー３１から延びる高電位電源線２０６が設けられており、この高電位電源線２０６は走査線駆動回路１０２と接続されている。コントローラー３１は、高電位電源線２０５，２０６に高電位（５Ｖ）を供給するか否かの制御を行う。
【００５４】
また、表示部４には、描画ＩＣ３０のＶＳＳＸ端子を介してコントローラー３１から延びる低電位電源線２０７が設けられており、この低電位電源線２０７はデータ線駆動回路１０１と接続されている。また、表示部４には、描画ＩＣ３０のＶＳＳＹ端子を介してコントローラー３１から延びる低電位電源線２０８が設けられており、この低電位電源線２０８は走査線駆動回路１０２と接続されている。コントローラー３１は、低電位電源線２０７，２０８に低電位（０Ｖ）を供給する。
【００５５】
また、表示部４には、描画ＩＣ３０のＶＣＯＭ端子、Ｓ１端子、Ｓ２端子、ＶＥＰ端子、ＶＳＳ端子を介して、それぞれ、共通電源変調回路３７から延びる共通電極配線２００、第１パルス信号線２０１、第２パルス信号線２０２、高電位電源線２０３、低電位電源線２０４が設けられており、それぞれの配線は画素１０３と接続されている。共通電源変調回路３７は、コントローラー３１の制御に従って上記配線のそれぞれに供給する各種信号を生成する一方、これら各配線の電気的な接続及び切断（ハイインピーダンス化、Ｈｉ−Ｚ）を行う。
【００５６】
描画ＩＣ３０は、コントローラー３１、フラッシュＲＯＭ３２、発振回路３３、ＶＲＡＭ３４、ＲＡＭ３５、昇圧回路３６及び共通電源変調回路３７を含んで構成されている。コントローラー３１は、イネーブル端子ＸＰＤＷに演算ＩＣ１０からイネーブル信号（ハイレベルの信号）が入力されるまではパワーオフ状態であり、イネーブル信号が入力されるとパワーオンする。コントローラー３１は、パワーオン状態の時、ＲＡＭ３５を作業領域として、フラッシュＲＯＭ３２、発振回路３３、ＶＲＡＭ３４、昇圧回路３６及び共通電源変調回路３７を制御し、表示部４に画像を表示させるための各処理を行う。
【００５７】
図４は、図３に示した画素１０３の回路構成図である。なお、図３と同じ配線には同じ番号を付しており、説明は省略する。また、全画素に共通の共通電極配線２００については記載を省略している。
図４に示すように、画素１０３には、駆動用ＴＦＴ（Thin Film Transistor）１０４と、ラッチ回路１０５と、スイッチ回路１０６が設けられている。画素１０３は、ラッチ回路１０５により画像信号を電位として保持するＳＲＡＭ（Static Random Access Memory）方式の構成となっている。
【００５８】
駆動用ＴＦＴ１０４は、Ｎチャネル型ＭＯＳ（Metal Oxide Semiconductor）トランジスターからなる画素スイッチング素子である。駆動用ＴＦＴ１０４のゲート端子は走査線１１２に接続され、ソース端子はデータ線１１１に接続され、ドレイン端子はラッチ回路１０５のデータ入力端子に接続されている。ラッチ回路１０５は転送インバーター１０５ｔと帰還インバーター１０５ｆとを備えている。転送インバーター１０５ｔ、帰還インバーター１０５ｆには、高電位電源線２０３と低電位電源線２０４との電位差に相当する電源電圧が供給される。
【００５９】
スイッチ回路１０６は、トランスミッションゲートＴＧ１、ＴＧ２からなり、ラッチ回路１０５に記憶された画素データのレベルに応じて、画素電極１３５（図５Ｂ、図５Ｃ参照）に信号を出力する。
ラッチ回路１０５に画素データ「１」（ハイレベルの画像信号）が記憶されて、トランスミッションゲートＴＧ１がオン状態となると、スイッチ回路１０６は第１パルス信号線２０１に伝搬する信号を出力する。一方、ラッチ回路１０５に画素データ「０」（ローレベルの画像信号）が記憶されて、トランスミッションゲートＴＧ２がオン状態となると、スイッチ回路１０６は第２パルス信号線２０２に伝搬する信号を出力する。このような回路構成により、それぞれの画素１０３の画素電極１３５に対して供給する電位が制御可能となる。
【００６０】
本実施形態では、表示部４は、二粒子系マイクロカプセル型の複数の電気泳動素子を有し、各電気泳動素子に電界をかけることで各画素１０３の色が制御される。図５Ａは、本実施形態の電気泳動素子１３２の構成を示す図である。電気泳動素子１３２は素子基板１３０と対向基板１３１（図５Ｂ、図５Ｃ参照）との間に配置されている。電気泳動素子１３２は、複数のマイクロカプセル１２０を配列して構成される。マイクロカプセル１２０は、例えば無色透明な分散液と、複数の白色の電気泳動粒子（白色粒子１２７）と、複数の黒色の電気泳動粒子（黒色粒子１２６）とが封入されている。本実施形態では、白色粒子１２７は負に帯電しており、黒色粒子１２６は正に帯電している。なお、電気泳動粒子の色は黒色及び白色に代えて、赤色及び白色など、他の組み合わせであってもよい。また、本明細書においてある物が「無色」とは、その物を介して対象物を見た場合に、その物を介さずに見た場合と比較して、対象物の色が実質的に同じと認識できる状態を言う。また、ある物が「透明」であるとは、その物を介して対象物を視認可能な状態を言う。
【００６１】
図５Ｂは、表示部４の部分断面図である。素子基板１３０と対向基板１３１は、マイクロカプセル１２０を配列してなる電気泳動素子１３２を狭持している。表示部４は、素子基板１３０の電気泳動素子１３２側に、複数の画素電極１３５が形成された駆動電極層３５０が設けられている。図５Ｂでは、画素電極１３５として画素電極１３５Ａと画素電極１３５Ｂが示されている。画素電極１３５により、画素ごとに電位（例えば、Ｖａ、Ｖｂ）を供給することが可能である。ここで、画素電極１３５Ａを有する画素を画素１０３Ａとし、画素電極１３５Ｂを有する画素を画素１０３Ｂとする。画素１０３Ａ、画素１０３Ｂは画素１０３（図３、図４参照）に対応する２つの画素である。
【００６２】
一方、対向基板１３１は透明基板であり、表示部４において対向基板１３１側に画像表示がなされる。表示部４は、対向基板１３１の電気泳動素子１３２側に、平面形状の共通電極１３７が形成された共通電極層３７０が設けられている。なお、共通電極１３７は透明電極である。共通電極１３７は、画素電極１３５と異なり全画素に共通の電極であり、電位ＶＣＯＭが供給される。
共通電極層３７０と駆動電極層３５０との間に設けられた電気泳動表示層３６０に電気泳動素子１３２が配置されており、電気泳動表示層３６０が表示領域となる。画素電極１３５（例えば、１３５Ａ、１３５Ｂ）と共通電極１３７との間の電位差に応じて、画素毎に所望の色を表示させることができる。
【００６３】
図５Ｂは、共通電極側の電位ＶＣＯＭが画素１０３Ａの画素電極１３５Ａの電位Ｖａ及び画素１０３Ｂの画素電極１３５Ｂの電位Ｖｂよりも高電位の状態を示している。このとき、画素電極１３５Ａ，１３５Ｂと共通電極１３７との間には、電位ＶＣＯＭを基準として負の電圧が印加されるため、負に帯電した白色粒子１２７が共通電極１３７側に引き寄せられ、正に帯電した黒色粒子１２６が画素電極１３５Ａ，１３５Ｂ側に引き寄せられ、画素１０３Ａ，１０３Ｂは白色（第１色の一例）を表示していると視認される。
【００６４】
図５Ｃは、図５Ｂの状態から、共通電極１３７側の電位ＶＣＯＭが画素１０３Ａの画素電極１３５Ａの電位Ｖａよりも低電位となり、画素１０３Ｂの画素電極１３５Ｂの電位Ｖｂと同電位となった状態を示している。このとき、画素電極１３５Ａと共通電極１３７との間には、電位ＶＣＯＭを基準として正の電圧が印加されるため、正に帯電した黒色粒子１２６が共通電極１３７側に引き寄せられ、負に帯電した白色粒子１２７が画素電極１３５Ａ側に引き寄せられ、画素１０３Ａは白色から黒色（第２色の一例）に変化したと視認される。一方、画素電極１３５Ｂと共通電極１３７との間では、電位差が生じていないため、黒色粒子１２６と白色粒子１２７は図５Ｂの位置でほとんど移動せず、画素１０３Ａは白色のまま変化していないと視認される。
【００６５】
なお、画素電極１３５と共通電極１３７との電位差の大きさあるいは電位差を 
生じさせる時間を制御することで、黒色粒子１２６と白色粒子１２７を両電極間の任意の中間位置で静止させれば、黒色と白色の間の任意の中間色（灰色）を表示させることもできる。
このように、ＥＰＤパネルは、一定時間、電力が供給されなくても画像を保持できるため低消費電力動作が可能であり、また、１８０度視認可能であるため、腕時計等の携帯型の電子時計の表示部としての使用にも適している。
【００６６】
＜Ｄ：画像更新方法＞
図６は、表示部４の画像を更新する方法について説明するための図である。図６では、１分毎に時刻表示を更新する例が示されている。
【００６７】
図６の例では、まず、時刻が８時３２分の時に、表示部４には、“Ｅｉｇｈｔ”，“ｔｈｉｒｔｙ−ｔｗｏ”の表示位置にある画素が白色であり、その他の画素が黒色である画像Ａが表示されている。
次に、時刻が８時３３分になる少し前に、表示部４には、全面黒色の画像Ｂが表示される。画像Ａから画像Ｂに更新する際は、まず、黒色の画素には電圧を印加せずに（０Ｖを印加して）白色の画素に負の電圧を印加する部分駆動方式により全面黒色の画像を表示させ、さらに、すべての画素に負の電圧を印加する全面駆動方式により全面黒色の画像を再表示させる。全面駆動方式とは、当該方式を用いた駆動（描画）の期間において、すべての画素に（共通電極１３７と画素電極１３５との間の）電位差が生じる駆動方式である。
【００６８】
次に、表示部４には、全面白色の画像Ｃが表示される。画像Ｂから画像Ｃに更新する際は、まず、すべての画素に正の電圧を印加する全面駆動方式により全面白色の画像を表示させ、次に、画像Ａにおいて白色だった画素には電圧を印加せずに（０Ｖを印加して）画像Ａにおいて黒色だった画素に正の電圧を印加する部分駆動方式により全面白色の画像を再表示させる。部分駆動方式とは、当該方式を用いた駆動（描画）の期間において、（共通電極１３７と画素電極１３５との間の）電位差が生じないと画素が存在する駆動方式である。
【００６９】
次に、時刻が８時３３分になると、表示部４には、Ｅｉｇｈｔ”，“ｔｈｉｒｔｙ−ｔｈｒｅｅ”の表示位置にある画素が白色であり、その他の画素が黒色である画像Ｄが表示される。画像Ｃから画像Ｄに更新する際は、“Ｅｉｇｈｔ”，“ｔｈｉｒｔｙ−ｔｈｒｅｅ”の表示位置にない画素には負の電圧を印加して、“Ｅｉｇｈｔ”，“ｔｈｉｒｔｙ−ｔｈｒｅｅ” の表示位置にある画素には電圧を印加しない（０Ｖを印加して）部分駆動方式により画像Ｄを表示させる。
【００７０】
このように、本実施形態では、部分駆動方式と全面駆動方式により全面黒色の画像を表示させ、さらに全面駆動方式と部分駆動方式により全面白色の画像を表示させることで元の画像を消去し、その後、部分駆動方式により次の画像（新規画像）を表示させる。すなわち、本実施形態の画像更新方法によれば、全画素が白色の状態から次の画像が表示されるため、画像毎に色合いが変わるという問題が生じにくい。また、本実施形態の画像更新方法によれば、各画素電極１３５と共通電極１３７との間に印加される電界の時間平均がほぼゼロになり、ＤＣバランスがとられるため、電気泳動表示装置７の長期信頼性を確保することができる。
【００７１】
ところで、表示部４（ＥＰＤパネル）に対して、画像を消去し、あるいは新規画像を描画するために必要な駆動時間（駆動パルスの印加時間）は、温度に応じて変化し、一般に、温度が低いほど長い駆動時間が必要になる。そこで、本実施形態では、画像を更新する際に温度に応じて駆動時間を変更するために、演算ＩＣ１０が内蔵するフラッシュＲＯＭ１２には、温度と駆動パルスの印加時間との対応関係を示すテーブル情報が記憶されている。
演算ＩＣ１０は、画像を更新する前に温度計測ＩＣ４０の温度計測値を取得し、フラッシュＲＯＭ１２に記憶されているテーブル情報を参照し、例えば、描画ＩＣ３０に表示部４への画像データの転送を指示する際に、温度に応じた適切な駆動パルスの印加時間を指示する。
【００７２】
＜Ｅ：表示処理＞
次に、本実施形態における時分表示の表示処理について図７ないし図１３を参照しつつ説明する。
図７に示すように、本実施形態における表示部４の表示領域における表示位置は、所定のグリッド間隔で設定されており、右下を原点としたＸＹ座標で表される。画像データは、時分のうちの時に対応する時画像データ７０と、時分のうちの分に対応する分画像データ８０とを備えている。
【００７３】
時画像データ７０は、例えば各時に対応する１から１２までの数をｏｎｅ，ｔｗｏ，．．．，ｔｗｅｌｖｅと英語で表し、字体として図８に示すような筆記体のフォントを用いた画像となっている。時画像データ７０のＸ方向及びＹ方向の長さで表されるサイズは、字数及びフォントの形状に応じてそれぞれ異なっている。また、各時画像データ７０には、原点７１が設定されており、原点７１を表示部４のどの座標に置くかによって時画像データ７０の表示位置が定められる。
【００７４】
分画像データ８０は、例えば各分に対応する０から５９までの数をｏｎｅ，ｔｗｏ，．．．，ｆｉｆｔｙ−ｎｉｎｅと英語で表し、時画像データ７０と同様に字体として図９に示すような筆記体のフォントを用いた画像となっている。分画像データ８０のＸ方向及びＹ方向の長さで表されるサイズは、字数及びフォントの形状に応じてそれぞれ異なっている。また、各分画像データ８０には、原点８１が設定されており、原点８１を表示部４のどの座標に置くかによって分画像データ８０の表示位置が定められる。
【００７５】
本実施形態においては、演算ＩＣ１０が図１０に示す分表示テーブル９０、図１１に示す時表示テーブル９１、及び図１２に示す時表示位置調整テーブル９２を参照することにより、時画像データ７０及び分画像データ８０の表示を行うように構成されている。この分表示テーブル、時表示テーブル、時表示位置調整テーブルが、本発明の表示テーブルに対応している。
分表示テーブル９０には、図１０に示すように、各分に対応したマクロ名、当該マクロ名に対応する画像名（所定の分を表示する際に用いられる分画像データを特定する情報）とＸ座標及びＹ座標（分画像データの表示位置を特定する情報）が記載されている。例えば、３２分に対応するマクロ名はＥＭＡＣ＿ＭＩＮＵＴＥ＿Ａ＿３２となる。マクロ名はマクロ命令の識別情報として用いられ、フラッシュＲＯＭ３２には、各マクロ名に対応するマクロ命令が予め記憶されている。演算ＩＣ１０は、リアルタイムクロックＩＣ２０からの時刻情報に基づいて分表示テーブル９０からマクロ名を読み取り、読み取ったマクロ名に対応するマクロ命令の実行指示を描画ＩＣ３０に対して出力する。描画ＩＣ３０は、演算ＩＣから出力された実行指示に対応するマクロ命令をフラッシュＲＯＭ３２から読み取って実行する。マクロ命令には、分表示テーブル９０に記載された画像名とＸ座標及びＹ座標が含まれており、画像名に対応する分画像データ８０が、分画像データ８０の原点をＸ座標及びＹ座標で示される座標に配置して表示されることになる。これによって、分によって、分画像データを表示する位置を変更することが可能となる。
また、例えば、３２分に対応する画像名はＭＩＮＵＴＥ＿Ａ＿３２．ｂｍｐであり、フラッシュＲＯＭ３２には、各画像名に対応する分画像データが記憶されている。
【００７６】
時表示テーブル９１には、図１１に示すように、時と分の組み合わせに対応して調整番号が記載されている。また、時表示位置調整テーブル９２には、図１２に示すように、各調整番号に対応したマクロ名、当該マクロ名に対応する画像名（所定の時を表示する際に用いられる時画像データを特定する情報）とＸ座標及びＹ座標（時画像データの表示位置を特定する情報）が記載されている。例えば、８時２９分に対応する調整番号は「２２」となる。また、「２２」の調整番号に対応したマクロ名は、ＥＭＡＣ＿ＡＰＰＥＮＤ＿Ａ＿０２２となる。時表示位置調整テーブル９２に記載されたマクロ名も、マクロ命令の識別情報として用いられ、フラッシュＲＯＭ３２には、各マクロ名に対応するマクロ命令が予め記憶されている。演算ＩＣ１０は、リアルタイムクロックＩＣ２０からの時刻情報に基づいて時表示位置調整テーブル９２からマクロ名を読み取り、読み取ったマクロ名に対応するマクロ命令の実行指示を、描画ＩＣ３０に対して出力する。描画ＩＣ３０は、演算ＩＣから出力された実行指示に対応するマクロ命令をフラッシュＲＯＭ３２から読み取って実行する。マクロ命令には、時表示位置調整テーブル９２に記載された画像名とＸ座標及びＹ座標が含まれており、画像名に対応する時画像データ７０が、時画像データ７０の原点をＸ座標及びＹ座標で示される座標に配置して表示されることになる。時表示テーブル９１および時表示位置調整テーブル９２により、時によって、時画像データの表示位置を変更することができ、また、同じ時であっても、分によって、時画像データの表示位置を変更することが可能となる。
また、調整番号「２２」に対応した画像名は、ＨＯＵＲ＿Ｂ＿０８．ｂｍｐであり、フラッシュＲＯＭ３２には、各画像名に対応する時画像データが記憶されている。
なお、図示を省略するが、本実施形態においては、時間の表示はｏｎｅからｔｗｅｌｖｅまでの数字を用いて行うため、午前・午後を表す“ＡＭ”,“ＰＭ”の文字を、時刻表示を行うレイヤーとは異なるレイヤーを用いて表示している。
【００７７】
次に、本実施形態における表示処理の手順について図１３のフローチャートを参照しつつ説明する。図１３は、演算ＩＣ１０による表示処理の概略を示すフローチャートである。図１３に示すように、演算ＩＣ１０は、通常動作モードの時に、まず、温度計測ＩＣ４０から温度計測値を取得する（Ｓ１０）。
次に、演算ＩＣ１０は、リアルタイムクロックＩＣ２０から時刻情報を取得する（Ｓ２０）。演算ＩＣ１０は、リアルタイムクロックＩＣ２０が有するタイマー２２に計測時間をセットし、計測を開始させる（Ｓ３０）。本実施形態では、この計測時間は、ステップＳ７０の処理による表示部４への描画が１分毎に行われるように、１分未満の値、例えば５０秒程度の値にセットされる。
【００７８】
次に、演算ＩＣ１０は、ステップＳ２０で取得した時刻情報に基づき、時画像を描画するために時表示テーブル９１から調整番号を読み取り、調整番号に基づいて、時表示位置調整テーブル９２からマクロ名を読み取って、必要なマクロ命令を準備する（Ｓ４０）。なお、このマクロ命令には画像消去のマクロ命令も含まれる。
同様に、演算ＩＣ１０は、ステップＳ２０で取得した時刻情報に基づき、分画像を描画するために分表示テーブル９０からマクロ名を読み取って、必要なマクロ命令を準備する（Ｓ５０）。なお、このマクロ命令には画像消去のマクロ命令も含まれる。
【００７９】
次に、演算ＩＣ１０は、描画ＩＣ３０に、画像消去のマクロ命令の実行指示を送信し、表示部４への画像データの転送及び表示部４の駆動を指示する（Ｓ６０）。描画ＩＣ３０は、このマクロ命令に基づいて表示部４の画像を消去する。
次に、演算ＩＣ１０は、描画ＩＣ３０に、新規画像描画のマクロ命令の実行指示を送信し、表示部４への画像データの転送及び表示部４の駆動を指示する（Ｓ７０）。描画ＩＣ３０は、このマクロ命令に基づいて表示部４の画像を更新する。
【００８０】
次に、演算ＩＣ１０は、通常動作モードからスリープモードに移行し（Ｓ８０）、リアルタイムクロックＩＣ２０から計測終了信号（割り込み信号）を受信するまで待機する（Ｓ９０のＮ）。
リアルタイムクロックＩＣ２０はタイマー２２の計測が終了すると、演算ＩＣ１１０に計測終了信号（割り込み信号）を送信する。演算ＩＣ１０は、この計測終了信号（割り込み信号）を受信すると（Ｓ９０のＹ）、スリープモードから通常動作モードに移行し（Ｓ１００）、再び、ステップＳ１０以降の処理を行う。
【００８１】
＜Ｆ：表示位置の調整処理＞
次に、本実施形態における時画像データの表示位置の調整処理について図１４ないし図１７を参照しつつ説明する。本実施形態に使用するフォントは、図８及び図９に示すように英語の筆記体のフォントであり、文字によっては上下左右のいずれかに長く伸びた部分が存在する。また、時画像データ７０の原点７１と分画像データ８０の原点８１のｙ方向の座標は異なっており、縦方向に配置されている。したがって、数を表す言葉の組み合わせによっては非常に読みにくくなってしまう。
例えば、図１４に示すように、８時３３分の場合には、時画像データ７０の“Ｅｉｇｈｔ”を標準位置に配置すると、“Ｅｉｇｈｔ”における“ｇ”の文字の下部が、分画像データ８０の“ｔｈｉｒｔｙ−ｔｈｒｅｅ”における先頭の“ｔ” の文字と重なってしまう。また、分画像データ８０の“ｔｈｉｒｔｙ−ｔｈｒｅｅ”における２番目の“ｈ” の文字の上部が、時画像データ７０の“Ｅｉｇｈｔ”における“ｈ” の文字の下部と重なってしまう。なお、ここで「標準位置」とは、図１４に示す“Ｅｉｇｈｔ”の時画像データ７０の原点７１を配置する座標として、予め定められた位置のことを言うものとする。
【００８２】
そこで、本実施形態においては、図１６及び図１７に示すように“Ｅｉｇｈｔ”の時画像データ７０を二種類用意し、分画像データ８０に応じていずれかの“Ｅｉｇｈｔ”の時画像データ７０を使用する。
図１６に示す“Ｅｉｇｈｔ”の時画像データ７０は、時画像データ７０内のフォント７２の原点７３の座標が、時画像データ７０自体の原点７１の座標に近い位置に設定されている。一方、図１７に示す“Ｅｉｇｈｔ”の時画像データ７０は、時画像データ７０内のフォント７２の原点７３の座標が、Ｙ軸の正方向に大きく移動し、かつ、Ｘ軸の正方向に若干移動している。したがって、図１７に示す“Ｅｉｇｈｔ”の時画像データ７０のフォント７２の原点７３の座標は、時画像データ７０自体の原点７１の座標に対して図１６に示す“Ｅｉｇｈｔ”の原点７３よりも遠くに設定されている。
【００８３】
本実施形態では、表示する時刻が８時３０分から８時３９分までの場合には、“Ｅｉｇｈｔ”の時画像データ７０として、図１７に示す時画像データ７０を用いている。また、表示する時刻が８時００分から８時２９分まで、また、８時４０分から８時５９分の場合には、“Ｅｉｇｈｔ”の時画像データ７０として、図１７に示す時画像データ７０を用いている。
このように構成することによって、例えば時刻が８時３３分の場合には、図１５に示すように、時画像データ７０のフォントと分画像データ８０のフォントが重ならず、時分表示を見易くすることが可能になる。
【００８４】
“Ｅｉｇｈｔ”の時画像データ７０の使い分けは次のように行っている。まず、図１１に示すように、時表示テーブル９１には、８時に対応する調整番号として、００分から２９分までと、４０分から５９分までは「２２」の調整番号が記載されている。しかし、３０分から３９分までは「１３」の調整番号が記載されている。同様に、２０時に対応する調整番号として、００分から２９分までと、４０分から５９分までは「３５」の調整番号が記載されている。しかし、３０分から３９分までは「２６」の調整番号が記載されている。
【００８５】
また、図１２に示す時表示位置調整テーブル９２においては、「２２」の調整番号に対応するマクロ名はＥＭＡＣ＿ＡＰＰＥＮＤ＿Ａ０２２であり、このマクロ名に対応する画像名はＨＯＵＲ＿Ｂ＿０８．ｂｍｐとなっている。一方、「１３」の調整番号に対応するマクロ名はＥＭＡＣ＿ＡＰＰＥＮＤ＿Ａ０１３であり、このマクロ名に対応する画像名はＨＯＵＲ＿Ｂ＿１３．ｂｍｐとなっている。
したがって、表示する時刻が８時００分から２９分までと、８時４０分から５９分までの場合には、演算ＩＣ１０は時表示テーブル９１から調整番号として「２２」を読み取り、時表示位置調整テーブル９２からマクロ名としてＥＭＡＣ＿ＡＰＰＥＮＤ＿Ａ０２２を読み取る。そして、演算ＩＣ１０は、ＥＭＡＣ＿ＡＰＰＥＮＤ＿Ａ０２２のマクロ名に対応するマクロ命令をフラッシュＲＯＭ３２から読み取り、描画ＩＣ３０に出力する。描画ＩＣ３０は、ＥＭＡＣ＿ＡＰＰＥＮＤ＿Ａ０２２のマクロ名に対応するマクロ命令を実行し、時画像データ７０としてＨＯＵＲ＿Ｂ＿０８．ｂｍｐの画像データを描画する。この際、画像データを原点のＸＹ座標が（Ｘ０８，Ｙ０８）、すなわち第１の位置となるように描画する。ＨＯＵＲ＿Ｂ＿０８．ｂｍｐは、図１６に示す“Ｅｉｇｈｔ”の時画像データ７０に相当している。
このように、時表示テーブル９１は、時表示位置調整テーブル９２を介して、同じ時であっても、時分に応じて、時画像データによる数の表示位置として、所定の標準位置とは異なる位置を特定する情報（調整番号）を含んでいる。
【００８６】
一方、表示する時刻が８時３０分から３９分までの場合には、演算ＩＣ１０は時表示テーブル９１から調整番号として「１３」を読み取り、時表示位置調整テーブル９２からマクロ名としてＥＭＡＣ＿ＡＰＰＥＮＤ＿Ａ０１３を読み取る。そして、演算ＩＣ１０は、ＥＭＡＣ＿ＡＰＰＥＮＤ＿Ａ０１３のマクロ名に対応するマクロ命令をフラッシュＲＯＭ３２から読み取り、描画ＩＣ３０に出力する。描画ＩＣ３０は、ＥＭＡＣ＿ＡＰＰＥＮＤ＿Ａ０１３のマクロ名に対応するマクロ命令を実行し、時画像データ７０としてＨＯＵＲ＿Ｂ＿１３．ｂｍｐの画像データを描画する。この際、画像データを原点のＸＹ座標が（Ｘ１３，Ｙ１３）となるように、すなわち第１の位置とは異なる第２の位置になるように描画する。ＨＯＵＲ＿Ｂ＿１３．ｂｍｐは、図１７に示す“Ｅｉｇｈｔ”の時画像データ７０に相当している。その結果、表示する時刻が８時３０分から３９分までの場合には、図１５に示すように、“Ｅｉｇｈｔ”のフォント位置が調整された時画像データ７０が使用されることになり、時画像データ７０のフォントと分画像データ８０のフォントが重ならず、時刻表示を見易くすることが可能になる。
【００８７】
さらに、表示する時刻が２０時００分から２９分までと、２０時４０分から５９分までの場合には、演算ＩＣ１０は時表示テーブル９１から調整番号として「３５」を読み取り、時表示位置調整テーブル９２からマクロ名としてＥＭＡＣ＿ＡＰＰＥＮＤ＿Ａ０３５を読み取る。演算ＩＣ１０は、ＥＭＡＣ＿ＡＰＰＥＮＤ＿Ａ０３５のマクロ名に対応するマクロ命令をフラッシュＲＯＭ３２から読み取り、描画ＩＣ３０に出力する。描画ＩＣ３０は、ＥＭＡＣ＿ＡＰＰＥＮＤ＿Ａ０３５のマクロ名に対応するマクロ命令を実行し、時画像データ７０としてＨＯＵＲ＿Ｂ＿０８．ｂｍｐの画像データを描画する。この際、画像データを原点のＸＹ座標が（Ｘ０８，Ｙ０８）、すなわち第１の位置となるように描画する。
【００８８】
一方、表示する時刻が２０時３０分から３９分までの場合には、演算ＩＣ１０は時表示テーブル９１から調整番号として「２６」を読み取り、時表示位置調整テーブル９２からマクロ名としてＥＭＡＣ＿ＡＰＰＥＮＤ＿Ａ０２６を読み取る。そして、演算ＩＣ１０は、ＥＭＡＣ＿ＡＰＰＥＮＤ＿Ａ０１３のマクロ名に対応するマクロ命令をフラッシュＲＯＭ３２から読み取り、描画ＩＣ３０に出力する。描画ＩＣ３０は、ＥＭＡＣ＿ＡＰＰＥＮＤ＿Ａ０２６のマクロ名に対応するマクロ命令を実行し、時画像データ７０としてＨＯＵＲ＿Ｂ＿１３．ｂｍｐの画像データを描画する。この際、画像データを原点のＸＹ座標が（Ｘ１３，Ｙ１３）となるように、すなわち第１の位置とは異なる第２の位置になるように描画する。ＨＯＵＲ＿Ｂ＿１３．ｂｍｐは、図１７に示す“Ｅｉｇｈｔ”の時画像データ７０に相当している。その結果、表示する時刻が２０時３０分から３９分までの場合には、図１５に示すように、“Ｅｉｇｈｔ”のフォント位置が調整された時画像データ７０が使用されることになり、時画像データ７０のフォントと分画像データ８０のフォントが重ならず、時刻表示を見易くすることが可能になる。
【００８９】
なお、本実施形態では、一例として“Ｅｉｇｈｔ”の時画像データ７０を二種類用意する例について説明したが、同一の時表示に対して、三種類以上の時画像データ７０を用意するようにしてもよい。また、本実施形態では、一例として、８時の表示に対応する“Ｅｉｇｈｔ”の時画像データ７０について説明したが、他の時間に対応する時画像データ７０であっても、使用するフォントに長く伸びた部分が存在する場合には、時画像データ７０を複数種類用意するようにしてもよい。さらに、分画像データ８０についても複数種類用意して、表示する時刻に応じてフォントの位置の異なる分画像データ８０を用いるようにしてもよい。
また、本実施形態では、原点７３と時画像データ自体７１の原点との距離が“Ｅｉｇｈｔ”の標準位置よりも遠い位置に設定された時画像データを用意したが、デザイン的に適切に表示される位置に設定されていればよい。
【００９０】
また、本実施形態では、一例として“Ｅｉｇｈｔ”のフォントの座標が異なる二種類の時画像データ７０を用意する例について説明したが、時画像データ７０は一種類として、時画像データ７０の原点７１の配置を、同時に表示する分画像データ８０に応じて移動させるようにしてもよい。同様に、分画像データ８０の原点の配置を、同時に表示する時画像データ７０に応じて移動させるようにしてもよい。
【００９１】
また、本実施形態では、一例として各時に対応する１から１２までの数をｏｎｅ，ｔｗｏ，．．．，ｔｗｅｌｖｅと英語で表す例について説明したが、各時に対応する０から２３までの数をｏｎｅ，ｔｗｏ，．．．，ｔｗｅｎｔｙ  ｔｈｒｅｅと英語で表す場合にも適用可能である。
また、本実施形態では、分表示テーブル、時表示位置調整テーブル、時表示テーブルを用いて、同じ時であっても、分に応じて、時画像データの表示位置を変更できるようにした。さらに、時表示テーブル、時表示位置調整テーブルと同様の構成の分表示テーブルや分表示位置調整テーブルを作成して、同じ分であっても、時に応じて、分画像データの表示位置を変更できるようにしてもよい。
【００９２】
以上のように、本実施形態によれば、時表示テーブルに、同じ時または分であっても、時分に応じて、時画像データまたは分画像データによる数の表示位置として、所定の標準位置とは異なる位置を特定する情報を含むようにしたので、フォントの重なりを防止して、見易い時分表示を行うことができる。
【００９３】
＜第２実施形態＞
本発明の第２実施形態について図１８ないし図２１を参照しつつ説明する。本実施形態は、時画像データ７０として、フォントの位置が異なる複数の時画像データ７０を用いるのではなく、フォント自体が異なる複数の時画像データ７０を用いる実施形態である。
本実施形態においては、６時に対応する時画像データ７０は、図２０に示す時画像データ７０を標準の時画像データに設定している。図２０に示すように、６時に対応する標準の時画像データ７０は“Ｓｉｘ”のうちの“ｘ”の字の一部が下方に長く伸びたフォントを用いている。このような標準の時画像データ７０を用いると、例えば時刻が６時４８分の場合には、図１８に示すように、“ｘ”の字の下方に長く伸びた部分が、４８分を表す“ｆｉｆｔｙ−ｅｉｇｈｔ”の最初の“ｆ”の字と重なってしまい、見辛くなってしまう。
【００９４】
そこで、本実施形態では、６時に対応する標準の時画像データ７０の他に、図２１に示す標準の時画像データ７０とは異なる時画像データ７０を用意しておき、時刻が６時４８分の場合のように文字の重なりが生じる場合には、図２１に示す標準の時画像データ７０とは異なる時画像データ７０を用いる。図２１に示す時画像データ７０は、“Ｓｉｘ”のうちの“ｘ”の字の一部が下方に長く伸びていないフォントを用いている。
このような時画像データ７０を用いることにより、図１９に示すように６時を表す“Ｓｉｘ”と４８分を表す“ｆｉｆｔｙ−ｅｉｇｈｔ”とに重なる部分がなくなり、時刻表示を見易くすることが可能となる。
【００９５】
本実施形態の構成を実現するためには、例えば図１２に示す時表示位置調整テーブル９２に調整番号として「１２」を記載しておき、「１２」の調整番号に対応するマクロ名をＥＭＡＣ＿ＡＰＰＥＮＤ＿Ａ０１２とし、画像名をＨＯＵＲ＿Ｂ＿１２．ｂｍｐを用意する。ＨＯＵＲ＿Ｂ＿１２．ｂｍｐは、図２１に示す時画像データ７０に対応している。また、「２０」の調整番号に対応するマクロ名をＥＭＡＣ＿ＡＰＰＥＮＤ＿Ａ０２０とし、画像名をＨＯＵＲ＿Ｂ＿０６．ｂｍｐとしておく。ＨＯＵＲ＿Ｂ＿０６．ｂｍｐは、図２０に示す時画像データ７０に対応している。
つまり、時表示テーブル９１は、同じ時であっても、分に応じて、例えば同じ８時であっても、２９分であるか３０分であるかに応じて、時画像データ７０として、所定の標準の時画像データ７０（ＨＯＵＲ＿Ｂ＿０８．ｂｐｍ）とは異なる時画像データ７０（ＨＯＵＲ＿Ｂ＿１３．ｂｐｍ）を特定する情報（調整番号）を含むことになる。
【００９６】
そして、図１１に示す時表示テーブル９１においては、例えば、６時００分から６時３９分までは調整番号として「２０」を記載し、６時４０分から６時５９分までは調整番号として「１２」を記載しておく。このように構成することにより、分表示として“ｆ”の文字で始まる４０分から５９分までは、時画像データ７０としてＨＯＵＲ＿Ｂ＿１２．ｂｍｐが用いられることになり、図１９に示すように、６時を表す“Ｓｉｘ”と４８分を表す“ｆｉｆｔｙ−ｅｉｇｈｔ”とに重なる部分がなくなり、時刻表示を見易くすることが可能となる。
【００９７】
なお、本実施形態では、一例として“Ｓｉｘ”の時画像データ７０として、フォントの異なる二種類の時画像データを用意する例について説明したが、同一の時に対して、三種類以上のフォントを用いた時画像データ７０を用意するようにしてもよい。また、本実施形態では、一例として、６時の表示に対応する“Ｓｉｘ”の時画像データ７０について説明したが、他の時間に対応する時画像データ７０であっても、異なるフォントを用いた複数の時画像データ７０を用意するようにしてもよい。さらに、分画像データ８０についてもフォントの異なる複数の分画像データ８０を用意して、表示する時刻に応じてフォント自体が異なる分画像データ８０を用いるようにしてもよい。
【００９８】
また、本実施形態においては、時画像データ７０及び分画像データ８０は、数を表す言葉の文字を描画した画像データであり、図１９に示すように、文字の並ぶ方向をｘ方向、ｘ方向に直交する方向をｙ方向とした時、表示部４の表示領域における表示位置（時画像データ７０の原点７１及び分画像データ８０の原点８１）のｙ方向の座標は、時画像データ７０と分画像データ８０とで異なっている。このように構成することにより、時分に応じて所定の位置とは異なる位置に表示されたり、あるいは、時分に応じて所定の画像データとは異なる画像データが表示されるので、使用するフォントに拘わらず見易い時刻表示が行われ、また、多様性のある時刻表示が行われる。
【００９９】
以上のように、本実施形態によれば、時表示テーブルに、同じ時間であっても、時分に応じて、時画像データとして、所定の標準の時画像データとは異なる時画像データを特定する情報を含むようにしたので、フォントの重なりを防止して、見易い時分表示を行うことができる。
【０１００】
＜第３実施形態＞
本発明の第３実施形態について図２２ないし図２４を参照しつつ説明する。本実施形態は、時画像データを十の位の時画像データと一の位の時画像データに分けると共に、分画像データについても十の位の分画像データと一の位の分画像データに分ける構成となっている。また、時画像データは、各時に対応する数を表す画像と、数以外の画像とが一体となった画像として構成されている。さらに、分画像データについても、各分に対応する数を表す画像と、数以外の画像とが一体となった画像として構成されている。
【０１０１】
図２２に示すように、時画像データのうち、１から２までの十の位の第１時画像データ７０−１は、各時の十の位に対応する数字を表す画像７０ａと、数以外の画像である鳥小屋の画像７０ｂとが一体となった画像として構成されている。なお、図２２においては、数字の「１」の画像７０ａと鳥小屋の画像７０ｂとが一体の画像として描画されているが、十の位のうち図示しない数字の「２」の画像７０ａに対しては、鳥小屋以外の鳥に関係する画像７０ｂとが一体の画像として描画されるようになっている。
【０１０２】
また、時画像データのうち、０から９までの一の位の第２時画像データ７０−２は、各時の一の位に対応する数字を表す画像７０ｃと、数以外の画像である鳥の卵の画像７０dとが一体となった画像として構成されている。なお、図２２においては、数字の「０」の画像７０ｃと鳥の卵の画像７０ｄとが一体の画像として描画されているが、図示しない数字の「１」〜「９」の画像７０ｃに対しては、鳥の卵以外の鳥に関係する画像７０ｄとが一体の画像として描画されるようになっている。つまり、時が変わると、時の一の位を表す数字の画像７０ｃと組み合わされる数以外の画像７０ｄも変わるようになっている。
【０１０３】
図２２に示すように、分画像データのうち、０から５までの十の位の第１分画像データ８０−１は、各分の十の位に対応する数字を表す画像８０ａと、数以外の画像であるフクロウの画像８０ｂとが一体となった画像として構成されている。なお、図２２においては、数字の「０」の画像８０ａとフクロウの画像８０ｂとが一体の画像として描画されているが、図示しない数字の「１」〜「５」の画像８０ａに対しては、図２２のフクロウの画像８０ｂとは異なるフクロウの画像、あるいは、画像８０ｂとして描画されているフクロウを異なる姿勢で描画した画像等が一体の画像として描画されるようになっている。つまり、分が変わると、分の十の位を表す数字の画像８０ａと組み合わされる数以外の画像８０ｂも変わるようになっている。
【０１０４】
また、分画像データのうち、０から９までの一の位の分画像データ８０−２は、各分の一の位に対応する数字を表す画像８０ｃと、数以外の画像であるフクロウの画像８０ｄとが一体となった画像として構成されている。画像８０ｄとして描画されるフクロウは、分の十の位において画像８０ｂとして描画されるフクロウとは異なる種類のフクロウとなっている。なお、図２２においては、数字の「０」の画像８０ｃとフクロウの画像８０ｄとが一体の画像として描画されているが、図示しない数字の「１」〜「９」の画像８０ｃに対しては、図２２のフクロウの画像８０ｄとは異なるフクロウの画像、あるいは、画像８０ｄとして描画されているフクロウを異なる姿勢で描画した画像等が一体の画像として描画されるようになっている。つまり、分が変わると、分の一の位を表す数字の画像８０ｃと組み合わされる数以外の画像８０ｄも変わるようになっている。
【０１０５】
なお、本実施形態においては、図２２に示すように、時表示と分表示とを区切るために、フクロウの足跡を表した区切り画像データ７５が描画されている。
【０１０６】
以上のように、本実施形態においては、時刻表示のための数字の画像に、数字以外の画像を表示させ、かつ、時分の位ごとに数字と組み合わせる数字以外の画像を異なる画像としたので、時刻表示に多様性を持たせることができる。
【０１０７】
また、本実施形態においては、第１時画像データ７０−１の原点７１−１の座標と、第２時画像データ７０−２の原点７１−２の座標とはＸ座標およびＹ座標がともに異なる位置に設定されている。さらに、第１分画像データ８０−１の原点８１−１の座標と、第２分画像データ８０−２の原点８１−２の座標とはＸ座標およびＹ座標がともに異なる位置に設定されている。これらの原点の座標の位置は一定ではなく、各位の画像データが変わるごとに、当該画像データの原点の座標の位置も変わるようになっている。以上のように、本実施形態においては、時刻表示のための数字の画像に数字以外の画像を組み合わせるだけでなく、各画像データの原点の座標の位置も変わるように構成したので、動きのある多様性に富んだ時刻表示を行うことができる。
【０１０８】
本実施形態においては、以上のような表示を行うために、時表示テーブル９１及び分表示テーブル９０を以下のように構成している。図２３は本実施形態の時表示テーブル９１を示す図、図２４は本実施形態の分表示テーブル９０を示す図である。
図２３に示すように、時表示テーブル９１は、０〜２３の時ごとに、十の位の画像名、マクロ名、及びＸＹ座標と、一の位の画像名、マクロ名、及びＸＹ座標とが記載されている。本実施形態においては、０から９までの一の位の画像名、マクロ名、及びＸＹ座標は、それぞれ異なっているが、一の位の数が同じ場合には、組み合わされる十の位の数が異なっていても一の位の画像名、マクロ名、及びＸＹ座標は同じに設定されている。例えば、「２時」、「１２時」、及び「２２時」における一の位の画像名はＨＯＵＲ＿Ｃ＿００２Ｌ．ｂｍｐであり、マクロ名はＥＭＡＣ＿ＨＯＵＲ＿Ｃ＿Ａ０２Ｌであり、ＸＹ座標はＸ０２０，Ｙ０２０となっている。但し、一の位の数が同じ場合であっても、組み合わされる十の位の数が異なっている場合には、一の位の画像名、マクロ名、及びＸＹ座標を異なるようにしてもよい。
また、本実施形態においては、「１１」のように十の位の数と一の位の数が同じであっても、それぞれの画像名、マクロ名、及びＸＹ座標は異なっている。但し、十の位の数と一の位の数が同じ場合には、同じ画像名、マクロ名、及びＸ座標またはＹ座標を用いるようにしてもよい。
【０１０９】
図２４に示すように、分表示テーブル９０は、００〜５９の分ごとに、十の位の画像名、マクロ名、及びＸＹ座標と、一の位の画像名、マクロ名、及びＸＹ座標とが記載されている。本実施形態においては、０から５までの十の位の画像名、マクロ名、及びＸＹ座標は、それぞれ異なっている。また、０から９までの一の位の画像名、マクロ名、及びＸＹ座標は、それぞれ異なっている。
しかし、一の位の数が同じ場合には、組み合わされる十の位の数が異なっていても一の位の画像名、マクロ名、及びＸＹ座標は同じに設定されている。例えば、「０２分」、「１２分」、及び「２２分」における一の位の画像名はＭＩＮＵＴＥ＿Ｃ＿００２Ｌ．ｂｍｐであり、マクロ名はＥＭＡＣ＿ＭＩＮＵＴＥ＿Ｃ＿Ａ０２Ｌであり、ＸＹ座標はＸ０２３，Ｙ０２３となっている。但し、一の位の数が同じ場合であっても、組み合わされる十の位の数が異なっている場合には、一の位の画像名、マクロ名、及びＸＹ座標を異なるようにしてもよい。
また、本実施形態においては、「１１」のように十の位の数と一の位の数が同じであっても、それぞれの画像名、マクロ名、及びＸＹ座標は異なっている。但し、十の位の数と一の位の数が同じ場合には、同じ画像名、マクロ名、及びＸ座標またはＹ座標を用いるようにしてもよい。
【０１１０】
以上のように、本実施形態によれば、時表示テーブル９１には、各時の十の位に対応する１から２までの数を表す画像と数以外の画像とが一の画像として描画され、当該数以外の画像が前記十の位に対応する各数において異なる第１時画像データ７０−１と、各時の一の位に対応する０から９までの数を表す画像と数以外の画像とが一の画像として描画され、当該数以外の画像が前記一の位に対応する各数において異なる第２時画像データ７０−２とが記載されている。
また、分表示テーブル９０には、記分画像データとして、各分の十の位に対応する０から５までの数を表す画像と数以外の画像とが一の画像として描画され、当該数以外の画像が前記十の位に対応する各数において異なる第１分画像データ８０−１と、各分の一の位に対応する０から９までの数を表す画像と数以外の画像とが一の画像として描画され、当該数以外の画像が前記一の位に対応する各数において異なる第２分画像データ８０−２とが記載されている。
そして、時表示テーブル９１及び分表示テーブル９０は、所定の時刻を表示する際に用いられる前記第１時画像データ７０−１及び前記第２時画像データ７０−２と、前記第１分画像データ８０−１及び前記第２分画像データ８０−２とを特定する情報（画像名）と、前記第１時画像データ７０−１及び前記第２時画像データ７０−２と前記第１分画像データ８０−１及び前記第２分画像データ８０−２の表示位置を特定する情報（Ｘ座標、Ｙ座標）の組み合わせを含む。
【０１１１】
したがって、本実施形態においては、時刻表示のための数字の画像に、数字以外の画像を表示させ、かつ、時分の位ごとに数字と組み合わせる数字以外の画像を異なる画像としたので、時刻表示に多様性を持たせることができる。さらに、本実施形態においては、時刻表示のための数字の画像に数字以外の画像を組み合わせるだけでなく、各画像データの原点の座標の位置も変わるように構成したので、動きのある多様性に富んだ時刻表示を行うことができる。
【０１１２】
なお、本実施形態においては、時刻を表す数字以外の画像として、鳥に関する画像を採用したが、キャラクターの画像、他の動物の画像、植物の画像、食べ物の画像等、様々な画像を採用することが可能である。また、時刻を表す数字のフォントを適宜変更するようにしてもよい。
【０１１３】
＜第４実施形態＞
本発明の第４実施形態について図２５ないし図２８を参照しつつ説明する。本実施形態は、時画像データは時を表す数字のフォントのみの画像データを用い、分画像データには分を表す数字のフォントと数字以外の画像とを一の画像とした画像データを用いる。また、数字以外の画像として、各分において異なる画像を用い、その表示位置も異なっている。
【０１１４】
図２５及び図２６に示すように、本実施形態における時画像データ７０は、時に対応する０〜２３の数字を表すフォントのみの画像７０ａを有する画像データとなっている。また、分画像データ８０は、分に対応する００〜５９の数字を表すフォントの画像８０ａと、数字以外の画像である鳥に関係した画像８０ｂとが組み合わされた画像データとなっている。
【０１１５】
数字以外の画像８０ｂは、図２５に示すように分に対応する００〜５９の数字を表すフォントの画像８０ａの下側に表示したり、あるいは、図２６に示すように分に対応する００〜５９の数字を表すフォントの画像８０ａの上側に表示したり、各分において変化を持たせている。また、００〜５９の数字を表すフォントの画像８０ａについても、各分において大きさを変更するようにしてもよい。さらに、分画像データ８０の原点８１の座標は、各分において異なっている。
【０１１６】
図示を省略するが、本実施形態においては、０〜２３の各時に対応した画像名、マクロ名、ＸＹ座標を記録した時表示テーブル９１を備え、画像名、マクロ名を各時に対応して変更すればよい。また、００〜５９の各分に対応した画像名、マクロ名、ＸＹ座標を記録した分表示テーブル９０を備え、画像名、マクロ名、及びＸＹ座標を各分に対応して変更すればよい。
【０１１７】
以上のように、本実施形態によれば、分画像データ８０として、各分に対応する数を表す画像８０ａと数以外の画像８０ｂとが一の画像として描画され、当該数以外の画像８０ｂが各分において異なる分画像データ８０を用いているので、時刻表示に多様性を持たせることが可能となる。また、分画像データ８０の原点８１の座標を各分に対応して変更することができるので、動きのある多様性に富んだ時刻表示を行うことが可能である。
【０１１８】
なお、分画像データ８０において、各分に対応する数字以外の画像８０ｂを各分に対応して変更する例としては、図２５及び図２６に示す態様の他、図２７及び図２８に示す態様も適用可能である。図２７においては、１７分に対応する数字のフォントの画像８０ａの下方に二羽の小鳥の画像８０ｂが描かれており、１分後の１８分においては、図２８に示すように、二羽の小鳥の画像８０ｂの位置は変更されていないが、二羽の小鳥が近づいたように描かれている。このような構成を採用した場合でも、動きのある多様性に富んだ時刻表示を行うことが可能である。
【０１１９】
なお、本実施形態においては、時刻を表す数字以外の画像として、鳥に関する画像を採用したが、キャラクターの画像、他の動物の画像、植物の画像、食べ物の画像等、様々な画像を採用することが可能である。また、時刻を表す数字のフォントを適宜変更するようにしてもよい。
【０１２０】
＜変形例＞
本発明は、上述した実施形態に限定されるものではなく、例えば次に述べるような各種の変形が可能である。また、次に述べる変形の態様は、任意に選択された一または複数を、適宜に組み合わせることもできる。
【０１２１】
（変形例１）
第１実施形態においては、例えば各時に対応する数を英語で表す例について説明したが、本発明はこの態様に限定される訳ではなく、他の言語で表す場合にも適用可能である。また各時に対応した数を各種の数字で表す場合にも適用可能である。
なお、第２実施形態から第４実施形態においては、０〜２３の時表示を用いる場合について説明したが、本発明はこの態様に限定される訳ではなく、第１実施形態のように、ＡＭ／ＰＭ表示を伴って、１〜１２の時表示を用いてもよい。
【０１２２】
（変形例２）
時画像データ及び分画像データは、時針・分針を有するアナログ時計のように、回転させて表示してもよい。例えば、各時に対応する数を表す画像に、キャラクターの画像を組み合わせた時画像データを１時間ごとに回転移動させてもよい。この場合には、朝の時間にはキャラクターが起きて、昼の時間には昼食を取り、日中の時間には仕事する等、一日の生活を表すようにしてもよい。また、キャラクターの表情や動作を、日付や曜日によって変化させるようにしてもよい。
また、分画像データを回転移動させる場合には、キャラクターが追いかけっこを行うように表示してもよい。
【０１２３】
（変形例３）
上述した各実施形態及び各変形例においては、テーブルを用いて描画に用いる画像、ＸＹ座標を選択する構成について説明したが、本発明はこの構成に限定される訳ではない。例えば、関数を用いて時画像データ及び／又は分画像データの原点の座標の軌跡を算出し、算出した軌跡に沿って時画像データ及び／又は分画像データの原点を移動させるようにしてもよい。
【０１２４】
（応用例）
本発明を応用した電子機器を以下に例示する。図２９及び図３０には、以上に例示した電気泳動表示装置７を採用した電子機器の外観が図示されている。
図２９は、電気泳動表示装置７を利用した携帯型の情報端末（電子書籍）３１０の斜視図である。図２９に示すように、情報端末３１０は、利用者が操作する操作子３１２と、表示部３１４に画像を表示する電気泳動表示装置１００とを含んで構成される。操作子３１２が操作されると表示部３１４の表示画像が変更される。
図３０は、電気泳動表示装置７を利用した電子ペーパー３２０の斜視図である。図３０に示すように、電子ペーパー３２０は、可撓性の基板（シート）３２２の表面に形成された電気泳動表示装置７を含んで構成される。電子ペーパー３２０においては、表示部３２５に画像が表示される。
本発明が適用される電子機器は以上の例示に限定されない。例えば、携帯電話機や時計（腕時計），携帯型の音響再生装置，電子手帳，タッチパネル搭載型の表示装置、リストに装着するタイプのスポーツ機器、ウェアラブル機器等の各種の電子機器に本発明を採用することが可能である。
また、本発明の表示部は、電気泳動表示装置に限定されるものではなく、メモリー性を有するエレクトロクロミック表示装置、あるいは液晶表示装置にも適用可能である。
【符号の説明】
【０１２５】
１…電子時計、２…時計ケース、３…バンド、４…表示部、６…駆動装置、７…電気泳動表示装置、１０…演算ＩＣ、１２…フラッシュＲＯＭ、２０…リアルタイムクロックＩＣ、３０…描画ＩＣ、３２…フラッシュＲＯＭ、４０…温度計測ＩＣ、７０…時画像データ、７０−１…第１時画像データ、７０−２…第２時画像データ、７１…原点、７１−１…原点、７１−２、原点、７２…フォント、７３…原点、７５…区切り画像データ、８０…分画像データ、８０−１…第１分画像データ、８０−２…第２分画像データ、８１…原点、８１−１…原点、８１−２…原点、９０…分表示テーブル、９１…時分表示テーブル、９２…時表示位置調整テーブル、１００…電子機器。
【図１】
2016148516.tif 000003
【図２】
2016148516.tif 000004
【図３】
2016148516.tif 000005
【図４】
2016148516.tif 000006
【図５Ａ】
2016148516.tif 000007
【図５Ｂ】
2016148516.tif 000008
【図５Ｃ】
2016148516.tif 000009
【図６】
2016148516.tif 000010
【図７】
2016148516.tif 000011
【図８】
2016148516.tif 000012
【図９】
2016148516.tif 000013
【図１０】
2016148516.tif 000014
【図１１】
2016148516.tif 000015
【図１２】
2016148516.tif 000016
【図１３】
2016148516.tif 000017
【図１４】
2016148516.tif 000018
【図１５】
2016148516.tif 000019
【図１６】
2016148516.tif 000020
【図１７】
2016148516.tif 000021
【図１８】
2016148516.tif 000022
【図１９】
2016148516.tif 000023
【図２０】
2016148516.tif 000024
【図２１】
2016148516.tif 000025
【図２２】
2016148516.tif 000026
【図２３】
2016148516.tif 000027
【図２４】
2016148516.tif 000028
【図２５】
2016148516.tif 000029
【図２６】
2016148516.tif 000030
【図２７】
2016148516.tif 000031
【図２８】
2016148516.tif 000032
【図２９】
2016148516.tif 000033
【図３０】
2016148516.tif 000034